(57)【要約】【課題】可動断熱仕切板を収納させる際の取扱操作性の向上を図ることができる商品収納装置を提供すること。【解決手段】ラック支持側板２３間に上下方向に沿って複数段設けた商品ラック（２０）と、商品ラックの前方域を移動可能に配設したバケット（３０Ｂ）を駆動するバケット駆動手段（３０）と、商品ラックの前方域を上下に区画する態様で配置し、バケット駆動手段３０が下方より当接した場合に上方に向けて移動する可動断熱仕切板４０と、自身に形成された係合溝４２１に可動断熱仕切板４０の係合突部４０１を進入させて可動断熱仕切板４０を上下方向に沿って移動可能に支持する仕切支持側板４２と、仕切支持側板４２において自身に形成された係止溝４３１が係合溝４２１の上端に連続する態様で配設し、上方に向けて移動した可動断熱仕切板４０の係合突部４０１が係止溝４３１に進入した場合に可動断熱仕切板４０を係止する係止部材４３とを備えている。【選択図】図８
2010277279.tif 000002
【特許請求の範囲】
【請求項１】
それぞれが複数の商品収納コラムを左右方向に沿って並設してなり、左右一対のラック支持側板間に上下方向に沿って複数段設けた商品ラックと、
前記商品ラックの前方域を移動可能に配設し、任意の商品収納コラムに対して対向配置された場合に当該商品収納コラムとの間において商品の受け渡しが可能となるバケットと、
受け渡しを行う商品収納コラムが指定された場合に前記バケットを駆動することにより、該当する商品収納コラムに対してバケットを対向配置させるバケット駆動手段と、
所望の前記商品ラック間に固定配設して自身が区画する上方域と下方域とを異なる温度帯に維持させる固定断熱仕切板と、
前記固定断熱仕切板の前方域において前記商品ラックの前方域を上下に区画する態様で配置し、前記バケットを上方に向けて駆動する前記バケット駆動手段が下方より当接した場合に、該バケット駆動手段とともに上方に向けて移動する可動断熱仕切板と
を備えた商品収納装置において、
前記バケット駆動手段のうち前記バケットを上下方向に沿って移動させる機構を支持する搬送支持側板及び前記ラック支持側板とは別個に配設され、かつ自身に形成された上下方向に沿って延在する係合溝に前記可動断熱仕切板の左右両端部から突設した係合突部を進入させて該可動断熱仕切板を上下方向に沿って移動可能に支持する左右一対の仕切支持側板と、
前記仕切支持側板のそれぞれの上端部において自身に形成された係止溝が前記係合溝の上端に連続する態様で配設し、上方に向けて移動した前記可動断熱仕切板の前記係合突部が前記係止溝に進入した場合に、該可動断熱仕切板を係止する係止部材と
を備えたことを特徴とする商品収納装置。
【発明の詳細な説明】
【技術分野】
【０００１】
本発明は、商品収納装置に関し、より詳細には、複数の商品収納コラムを左右方向に沿って並設した商品ラックに対してバケットを通じた商品の受け渡しを行う商品収納装置に関するものである。
【背景技術】
【０００２】
自動販売機には、商品を収納する商品収納コラムと、商品の搬送を行うバケットとを備えて構成したものがある。商品収納コラムは、複数の商品を整列した状態で収納する一方、ベンドメックが駆動した場合にはその前端部から商品を１つずつ払い出すものである。一般的な自動販売機では、商品ラックに複数の商品収納コラムが左右方向に沿って並設され、更にこの商品ラックが左右一対のラック支持側板間に上下方向に沿って複数段設けられている。バケットは、商品収納コラムとの間において商品の受け渡しを行うもので、商品ラックの前方域を移動可能に配設されている。より詳細に説明すると、バケットは、バケット駆動手段により商品ラックの前方域を上下左右に移動可能に配設されている。バケット駆動手段は、バケットを左右方向に沿って移動させることが可能なＸ軸搬送機構と、このＸ軸搬送機構を含む上記バケットを上下方向に沿って移動させるＹ軸搬送機構とを備えて構成されている。Ｙ軸搬送機構は、左右一対のラック支持側板に設けられた左右一対の搬送支持側板間に上下方向に沿って移動可能に支持されている。
【０００３】
また、上記自動販売機においては、商品ラックの前方域を上下に区画する可動断熱仕切板を備えたものが知られている。可動断熱仕切板は、商品ラック間に固定配設された固定断熱仕切板とともに、自身が区画する上方域と下方域とを異なる温度帯に維持させるものである。この可動断熱仕切板は、前後方向に沿って伸縮自在な構成を有しており、上下方向に沿って移動する場合には縮小状態となる一方、商品ラックの前方域の所定位置に配置される場合には伸長状態となるものである（例えば、特許文献１参照）。
【先行技術文献】
【特許文献】
【０００４】
【特許文献１】特開２０００−１９４９２２号公報
【発明の概要】
【発明が解決しようとする課題】
【０００５】
ところで、上記自動販売機においてすべての商品収納コラムに収納された商品を単一の温度帯で販売する場合には、可動断熱仕切板を収納する必要がある。この場合、上記自動販売機では、詳細は開示されていないが、可動断熱仕切板を上方に向けて移動させた後に伸長状態にさせ、ラック支持側板等に設けられたクランプを揺動させて該クランプにより上限位置まで移動させた可動断熱仕切板を支持固定して、最上段の商品ラックの上方域に収納するようにしている。
【０００６】
ところが、このようにして可動断熱仕切板の収納を行う場合、可動断熱仕切板を上方に向けて移動させる動作とともに、上限位置まで移動させた可動断熱仕切板を支えつつ、クランプを揺動させる動作が必要となり、作業者には両手での作業を強いることになり、取扱操作性に優れたものとはいえなかった。
【０００７】
本発明は、上記実情に鑑みて、可動断熱仕切板を収納させる際の取扱操作性の向上を図ることができる商品収納装置を提供することを目的とする。
【課題を解決するための手段】
【０００８】
上記目的を達成するために、本発明の請求項１に係る商品収納装置は、それぞれが複数の商品収納コラムを左右方向に沿って並設してなり、左右一対のラック支持側板間に上下方向に沿って複数段設けた商品ラックと、前記商品ラックの前方域を移動可能に配設し、任意の商品収納コラムに対して対向配置された場合に当該商品収納コラムとの間において商品の受け渡しが可能となるバケットと、受け渡しを行う商品収納コラムが指定された場合に前記バケットを駆動することにより、該当する商品収納コラムに対してバケットを対向配置させるバケット駆動手段と、所望の前記商品ラック間に固定配設して自身が区画する上方域と下方域とを異なる温度帯に維持させる固定断熱仕切板と、前記固定断熱仕切板の前方域において前記商品ラックの前方域を上下に区画する態様で配置し、前記バケットを上方に向けて駆動する前記バケット駆動手段が下方より当接した場合に、該バケット駆動手段とともに上方に向けて移動する可動断熱仕切板とを備えた商品収納装置において、前記バケット駆動手段のうち前記バケットを上下方向に沿って移動させる機構を支持する搬送支持側板及び前記ラック支持側板とは別個に配設され、かつ自身に形成された上下方向に沿って延在する係合溝に前記可動断熱仕切板の左右両端部から突設した係合突部を進入させて該可動断熱仕切板を上下方向に沿って移動可能に支持する左右一対の仕切支持側板と、前記仕切支持側板のそれぞれの上端部において自身に形成された係止溝が前記係合溝の上端に連続する態様で配設し、上方に向けて移動した前記可動断熱仕切板の前記係合突部が前記係止溝に進入した場合に、該可動断熱仕切板を係止する係止部材とを備えたことを特徴とする。
【発明の効果】
【０００９】
本発明によれば、可動断熱仕切板を支持する左右一対の仕切支持側板のそれぞれにおいて自身に形成された係止溝が係合溝の上端に連続する態様で配設した係止部材が、上方に向けて移動した可動断熱仕切板の係合突部が係止溝に進入した場合に、該可動断熱仕切板を係止するので、作業者が片手のみで作業を行うことが可能になり、可動断熱仕切板を収納させる際の取扱操作性の向上を図ることができるという効果を奏する。
【図面の簡単な説明】
【００１０】
【図１】図１は、本発明の実施の形態である商品収納装置が適用された自動販売機の内部構造を示す斜視図である。
【図２】図２は、商品収容庫に設けた要部を抜き出して示す斜視図である。
【図３】図３は、図２に示した状態から商品ラックを取り外した状態を示す斜視図である。
【図４】図４は、図３に示した可動断熱仕切板及びその支持構造を模式的に示す斜視図である。
【図５】図５は、図４に示した可動断熱仕切板の要部を模式的に示した平面図である。
【図６】図６は、図３に示したバケット駆動手段及び可動断熱仕切板の要部を示す側面図であり、一方の仕切支持側板のみを示している。
【図７】図７は、図３に示したバケット駆動手段及び可動断熱仕切板の要部を示す側面図であり、一方の仕切支持側板のみを示している。
【図８】図８は、図６及び図７に示した仕切支持側板の上端部を拡大して示す側面図であり、一方の仕切支持側板のみを示している。
【発明を実施するための形態】
【００１１】
以下、添付図面を適宜参照しながら本発明に係る商品収納装置の好適な実施の形態について詳細に説明する。
【００１２】
図１は、本発明の実施の形態である商品収納装置が適用された自動販売機の内部構造を示す斜視図である。ここで例示する自動販売機は、例えば缶入り飲料、ペットボトル入り飲料、紙パック入り飲料等の商品を冷却、若しくは加熱した状態で販売するもので、本体キャビネット１を備えている。
【００１３】
本体キャビネット１は、前面が開口した直方状をなすもので、内部が２つに区画されて上側が商品収容庫２、下側が機械室３となっている。商品収容庫２は、その内部を予め設定された温度状態に保持する室であり、商品収容庫２を構成する壁部材はそれぞれ断熱材によって形成してある。また、図には明示していないが、商品収容庫２の下部には、冷凍サイクルを構成する蒸発器等、内部雰囲気を冷却するための冷却手段が設けてあるとともに、商品収容庫２の上部には、電熱ヒータ等、内部雰囲気を加熱するための加熱手段が設けてある。
【００１４】
上記機械室３には、上記蒸発器とともに冷凍サイクルを構成する冷凍機（圧縮機及び凝縮器）や各種制御機器等が設けてある。
【００１５】
上記本体キャビネット１の前面には、内扉４及び外扉５が設けてある。内扉４は、断熱ガラス等の透明板を嵌め込んで形成したものであり、商品収容庫２の前面を覆うのに十分な大きさを有している。この内扉４は閉移動して商品収容庫２の前面を閉塞する場合には、該商品収容庫２の前面を構成する断熱部材である。
【００１６】
この内扉４の透明板の中央部右側下方域には、矩形状の商品搬出口６が形成されるとともに、該商品搬出口６を開閉するための搬出フラッパ７が設けられている。搬出フラッパ７は、下端が自由端となる態様で前後方向に揺動可能に軸支され、常態においては自身の自重により商品搬出口６を閉成するものである。
【００１７】
外扉５は、本体キャビネット１の前面開口を開閉するためのものであり、必要に応じて断熱材を用いて構成してあり、断熱ガラス等の透明板を嵌め込んでなるウインドウを有している。従って、当該自動販売機は外扉５のウインドウを介して内部を視認可能ないわゆるビュータイプのものである。また、外扉５の正面には、図には明示しないが、販売商品を選択するための商品選択ボタンや、貨幣を投入するための入金口等、商品を自動販売する際に必要となる構成が配設してある。尚、本明細書において、左方向は、自動販売機を正面から見た場合の左側の方向を指し、右方向は、自動販売機を正面から見た場合の右側の方向を指すものとして説明する。
【００１８】
このような商品収容庫２には、商品収納装置１０として、商品ラック２０と、バケット駆動手段３０と、可動断熱仕切板４０とが設けてある。図２は、商品収容庫２に設けた要部を抜き出して示す斜視図である。この図２も適宜用いながら説明する。
【００１９】
商品ラック２０は、複数の商品収納コラム２１を左右方向に沿って並設することによって構成したもので、個々の商品収納コラム２１に画成した商品収納通路２２に複数の商品を前後方向に整列した状態で収納することが可能である。このような商品ラック２０は、商品収容庫２において左右一対となる態様で取り付けたラック支持側板２３間に架け渡される態様で上下方向に沿って複数段設けてある。
【００２０】
上記商品ラック２０を支持するラック支持側板２３は、例えば板金等を適宜加工して構成した長尺状の板状体であり、互いの一面（内面）が対向する態様で設けてある。具体的には、商品収容庫２を構成する天板や底板等に例えばネジ等の取付部材を介して取り付けて設けてある。
【００２１】
かかるラック支持側板２３に支持された商品ラック２０の各商品収納コラム２１は、図には明示しないが、前後に平行配置したローラに無端状のベルトを掛け回した搬送機構を備え、搬送ベルトの上面に商品を載置して収納している。このような各商品収納コラム２１の前端部には商品の払い出しを制御するベンドメックが設けてある。ベンドメックは、駆動モータ、ソレノイド等の動力源から切り離した駆動部を有さないものであり、後述するバケット３０Ｂが指定の商品収納コラム２１に対向配置された場合にバケット３０Ｂを載置する載置台３１２に内蔵される電動式駆動機構からの動力が伝達されて駆動するものである。
【００２２】
バケット駆動手段３０は、Ｘ軸搬送機構３１とＹ軸搬送機構３２との組立体として構成したものである。Ｘ軸搬送機構３１は、本体キャビネット１の内部であって商品ラック２０の前方域において左右方向に沿って延在するレール部材３１１を備え、Ｘ軸モータの駆動によりレール部材３１１の延在方向（左右方向）に沿って搭載するバケット３０Ｂを移動させるものである。このＸ軸搬送機構３１におけるバケット３０Ｂを載置する載置台３１２には、電動式駆動機構（図示せず）が内蔵してある。かかる電動式駆動機構は、指定された商品収納コラム２１にバケット３０Ｂが対向配置された場合に、該商品収納コラム２１の前端部のベンドメックに駆動力を伝達して駆動力を与えるものである。
【００２３】
Ｙ軸搬送機構３２は、左右一対の搬送支持側板３２１に設けたものである。図には明示しないが、これら搬送支持側板３２１の上端部近傍にはプーリが回転自在となる態様で配設してある。このプーリには、長尺状の索状体であるベルトが掛け回してあり、このベルトの一端にはウエイターが接続され、他端には上記レール部材３１１を保持するための保持側板３２２が接続されている。そして、Ｙ軸搬送機構３２は、Ｙ軸モータの駆動によりプーリが回転し、これにより保持側板３２２に保持されるレール部材３１１、並びにバケット３０Ｂを搭載するＸ軸搬送機構３１を上下方向に沿って移動させるものである。ここで、保持側板３２２には、傾斜突起板３２３が配設してある。傾斜突起板３２３は、保持側板３２２の上縁部から上方に突出しており、その上縁部の一部が後方に向かうに連れて漸次高くなる態様で傾斜している。
【００２４】
次に可動断熱仕切板４０について説明する。図３は、図２に示した状態から商品ラック２０を取り外した状態を示す斜視図である。かかる図３も適宜参照しながら可動断熱仕切板４０について説明する。
【００２５】
可動断熱仕切板４０は、商品ラック２０の前方域を上下に区画するもので、所望の商品ラック２０間に固定配設された固定断熱仕切板４１とともに商品収容庫２の内部を上下に区画するものである。ここで固定断熱仕切板４１は、平板状の断熱材であり、図示の例では上から２段目の商品ラック２０と上から３段目の商品ラック２０との間において、両側部がラック支持側板２３に、かつ後端部が商品収容庫２の背面に支持されて固定配設してある。
【００２６】
上記可動断熱仕切板４０は、図２及び図３に示すように自身が水平姿勢になる場合に、商品ラック２０の前方域を上下に区画することができるのに十分な大きさを有している。そして、可動断熱仕切板４０は、図４にも示すように、左右一対の仕切支持側板４２間に上下方向に沿って移動可能に配設してある。
【００２７】
より詳細に説明すると次のようになる。まず、仕切支持側板４２は、例えば板金等を適宜加工して構成した長尺状の板状体であり、互いの一面（内面）が対向する態様で設けてある。具体的には、上記ラック支持側板２３や上記搬送支持側板３２１とは別個に、内面が商品ラック２０の前方域を臨む態様で商品収容庫２を構成する枠材等に例えばネジ等の取付部材を介して取り付けて設けてある。かかる仕切支持側板４２のそれぞれの内面には、上下方向に沿って延在する係合溝４２１が形成してあり、該係合溝４２１の下端は、ネジ部材４２２により取り付けた固定金４２３により閉塞してある。
【００２８】
次に、可動断熱仕切板４０の両側部の前方側には、図５に示すように係合突部４０１が突設してある。係合突部４０１は、例えば段付きネジを締結することにより構成されるものであり、可動断熱仕切板４０から最も離隔した部分が拡径部４０２となっている。
【００２９】
この係合突部４０１の拡径部４０２が仕切支持側板４２の係合溝４２１に上方より進入することにより、可動断熱仕切板４０は、係合溝４２１の延在方向、すなわち上下方向に沿って移動可能に配設してある。尚、上述したように係合溝４２１の下端は固定金４２３に閉塞されていることから、可動断熱仕切板４０は、係合突部４０１の拡径部４０２が該固定金４２３に当接することによりそれ以上下方に向けて移動することが規制される。また、固定金４２３は、単に係合溝４２１の下端を閉塞しているだけでなく、自身に係合突部４０１が当接することにより下方への移動が規制された可動断熱仕切板４０が、図６にも示すように、上記固定断熱仕切板４１の配設高さに一致して、該固定断熱仕切板４１とともに商品収納通路２２を上下に区画することができるように取付位置が調整してある。このように固定金４２３に係合突部４０１の拡径部４０２が当接した状態にある可動断熱仕切板４０は、後端縁部の全域に亘って配設した樹脂製の後ガイド片４０３が固定断熱仕切板４１の前端縁部の全域に亘って配設した支持片（図示せず）に載置することにより、水平姿勢となる。ここで、可動断熱仕切板４０の前端縁部にも全域に亘って樹脂製の前ガイド片４０４が配設してある。これら前ガイド片４０４及び後ガイド片４０３は、可動断熱仕切板４０が固定断熱仕切板４１と商品収容庫２を上下に区画する際に、その気密性を向上させるために設けたものである。
【００３０】
図４及び図６に示すように、それぞれの仕切支持側板４２の上端部において上記係合溝４２１を形成する長尺平板４２４には、係止部材４３がビス等により取り付けてある。より詳細には、最上段の商品ラック２０よりも上方域に取り付けてある。係止部材４３は、上方に開口するＵ字状の係止溝４３１が形成してある。この係止溝４３１は、開放された係合溝４２１の上端に連続する態様で形成してある。
【００３１】
上記のように構成した自動販売機では、可動断熱仕切板４０を下方に移動させ、固定断熱仕切板４１とともに商品収容庫２を上下に区画させる。このような状態において冷却手段及び加熱手段が駆動することにより、商品収容庫２のうち、可動断熱仕切板４０及び固定断熱仕切板４１により区画された上方域に収納した商品が加熱した状態に保持される一方、可動断熱仕切板４０及び固定断熱仕切板４１により区画された下方域に収納した商品が冷却した状態に保持されることになる。
【００３２】
そして、商品選択ボタンを通じて商品の選択情報及び入金口を通じて投入された貨幣の入金情報がそれぞれ所定の販売条件を充足すると、バケット駆動手段３０が駆動することにより、選択した商品を収納した商品収納コラム２１に対してバケット３０Ｂが対向配置される。
【００３３】
ここで選択した商品が冷却した状態に保持された商品（コールド商品）である場合には、可動断熱仕切板４０による断熱区画を維持した状態で、バケット３０Ｂが対向配置され、該バケット３０Ｂを載置する載置台３１２に内蔵される電動式駆動機構が該当する商品収納コラム２１のベンドメックを駆動する。これによりコールド商品が１つだけバケット３０Ｂに移載される。コールド商品が移載されたバケット３０Ｂは、バケット駆動手段３０の駆動により商品搬出口６に移動し、かかる商品搬出口６から払い出されて利用者は商品取出口に移動したコールド商品を外部に取り出すことが可能になる。
【００３４】
選択した商品が加熱した状態で保持された商品（ホット商品）である場合には、バケット３０Ｂを固定断熱仕切板４１よりも上方に向けて移動させることが必要になり、可動断熱仕切板４０に下方からＹ軸搬送機構３２を構成する保持側板３２２に配設された傾斜突起板３２３が当接することになる。この傾斜突起板３２３に当接された可動断熱仕切板４０は、図７に示すように、該傾斜突起板３２３の傾斜縁部に載置し、すなわち、係合突部４０１の軸心回りに後端部が上方に向かう態様で揺動して傾斜縁部に載置し、傾斜姿勢のまま、バケット３０Ｂ（保持側板３２２）の上方への移動とともに上方に移動する。その後、バケット３０Ｂが対向配置され、該バケット３０Ｂを載置する載置台３１２に内蔵される電動式駆動機構が該当する商品収納コラム２１のベンドメックを駆動する。これによりホット商品が１つだけバケット３０Ｂに移載される。ホット商品が移載されたバケット３０Ｂは、バケット駆動手段３０の駆動により商品搬出口６に移動する。この結果、商品搬出口６から払い出されて利用者は商品取出口に移動したホット商品を外部に取り出すことが可能になる。
【００３５】
その後、可動断熱仕切板４０は、バケット３０Ｂが待機位置に移動するために下方に向けて移動する保持側板３２２とともに下方に向けて移動し、係合突部４０１の拡径部４０２が固定金４２３に当接して下方に向けての移動が規制され、傾斜突起板３２３の載置状態からも解放されて元の水平姿勢となり、固定断熱仕切板４１とともに商品収容庫２を上下に区画する。
【００３６】
このように上述した自動販売機では、可動断熱仕切板４０が、ラック支持側板２３及び搬送支持側板３２１とは別個に商品収容庫２に配設された専用の左右一対の仕切支持側板４２に設けたものであるので、可動断熱仕切板４０の支持構造部分等のメンテナンスや修理を行う場合に、左右一対の仕切支持側板４２を本体キャビネット１（商品収容庫２）に固定しているネジ等の締付力を解除して取り外すことができる。つまり、商品ラック２０及びバケット駆動手段３０を商品収容庫２に設置したままで仕切支持側板４２を取り外すことができる。このため、従来のように商品ラック２０を構成する商品収納コラム２１に収納された商品まで取り出す必要がない。
【００３７】
ところで、上記自動販売機において、すべての商品収納コラム２１に収納した商品を単一の温度帯、例えば商品を冷却した状態でコールド商品として販売する場合には、可動断熱仕切板４０を収納する必要がある。
【００３８】
このように可動断熱仕切板４０を収納する場合には、バケット駆動手段３０（Ｙ軸搬送機構３２）により保持側板３２２の傾斜突起板３２３に可動断熱仕切板４０を載置させて上方に向けて移動、あるいは作業者の手動により上方に向けて移動させる。上方に向けて移動させた可動支持側板は、作業者に把持された状態で、自身の係合突部４０１（拡径部４０２）が係合溝４２１の上端から離脱され、後方に向けて僅かに移動させてから、図８に示すように、該係合突部４０１の拡径部４０２を係止部材４３の係止溝４３１に上方より進入させて該係止部材４３に係止される。このとき可動断熱仕切板４０の後端部は、ラック支持側板２３に予め設けてある図示せぬ載置部材に載置されることになり、可動断熱仕切板４０は、商品収容庫２の上方域、より詳細には最上段の商品ラック２０の上方域に収納される。
【００３９】
可動断熱仕切板４０を収納した後、冷却手段を駆動させることにより、すべての商品収納コラム２１に収納した商品を単一の温度帯に保持することができ、商品選択ボタンの操作等によりかかる商品（コールド商品）を販売することが可能になる。
【００４０】
以上説明したように、本発明の実施の形態である商品収納装置１０によれば、可動断熱仕切板４０が、バケット駆動手段３０のＹ軸搬送機構３２を支持する搬送支持側板３２１及びラック支持側板２３とは別個に配設した専用の左右一対の仕切支持側板４２間に上下方向に沿って移動可能に配設したので、可動断熱仕切板４０の支持構造部分等のメンテナンスや修理を行う場合に、バケット駆動手段３０、並びに商品ラック２０に収納された商品を取り出すことなく、仕切支持側板４２を取り出すだけで作業を行うことができ、場合により商品収容庫２に取り付けた状態でも作業を行うことができる。これにより、作業が煩雑なものとならず、作業に要する時間の短縮化を図ることができる。特に、自動販売機の設置先での作業に要する時間を短縮化させることができ、有用である。
【００４１】
また、上記商品収納装置１０によれば、係止部材４３が、仕切支持側板４２のそれぞれの上端部において自身に形成された係止溝４３１が係合溝４２１の上端に連続する態様で配設してなり、上方に向けて移動した可動断熱仕切板４０の係合突部４０１が係止溝４３１に進入した場合に、該可動断熱仕切板４０を係止するので、作業者が片手のみで作業を行うことが可能になり、可動断熱仕切板４０を収納させる際の取扱操作性の向上を図ることができる。これにより、機械設置作業時間の低減化、庫内運転温度変更時の付帯作業時間の低減化を図ることができる。
【００４２】
尚、上述した実施の形態では、自動販売機に適用する商品収納装置１０を例示しているが、複数の商品収納コラム２１を左右方向に並設した商品ラック２０に対してバケット３０Ｂを通じた商品の受け渡しを行うものであれば、必ずしも自動販売機である必要はない。
【産業上の利用可能性】
【００４３】
以上のように、本発明に係る商品収納装置は、例えば缶入り飲料、ペットボトル入り飲料等の商品を販売する自動販売機に有用である。
【符号の説明】
【００４４】
１  本体キャビネット
２  商品収容庫
３  機械室
４  内扉
５  外扉
１０  商品収納装置
２０  商品ラック
２１  商品収納コラム
２２  商品収納通路
２３  ラック支持側板
３０  バケット駆動手段
３０Ｂ  バケット
３１  Ｘ軸搬送機構
３１１  レール部材
３２  Ｙ軸搬送機構
３２１  搬送支持側板
３２２  保持側板
３２３  傾斜突起板
４０  可動断熱仕切板
４０１  係合突部
４０２  拡径部
４０３  後ガイド片
４０４  前ガイド片
４１  固定断熱仕切板
４２  仕切支持側板
４２１  係合溝
４２３  固定金
４２４  長尺平板
４３  係止部材
４３１  係止溝
【図１】
2010277279.tif 000003
【図２】
2010277279.tif 000004
【図３】
2010277279.tif 000005
【図４】
2010277279.tif 000006
【図５】
2010277279.tif 000007
【図６】
2010277279.tif 000008
【図７】
2010277279.tif 000009
【図８】
2010277279.tif 000010